(57)【特許請求の範囲】
【請求項１】
前方及び上方に開口した収納空間を構成する背板及び棚板と、前記収納空間を左右に仕切る少なくとも１枚の固定式仕切板とを備えており、前記仕切板の後部に、物品を上から出し入れ自在な収納整理用切り欠き部が前記背板に向けて開口するように形成されている構成であって、
前記収納整理用切り欠き部は、その下端が前記棚板の上面に至るように形成されている、
収納家具。
【請求項２】
左右に隣り合った２枚の仕切板を備えており、前記左右の仕切板の両方に、前記収納整理用切り欠き部が、略同じ前後位置になるようにして形成されている、
請求項１に記載した収納家具。
【請求項３】
前記収納整理用切り欠き部の左右両側に前記棚板が配置されている、
請求項１に記載した収納家具。
【請求項４】
前記収納整理用切り欠き部の左右片側に前記棚板が配置されている、
請求項１に記載した収納家具。
【請求項５】
前記収納整理用切り欠き部の前後幅は約６０〜９０ｍｍ程度に設定されている、
請求項１〜４のうちのいずれかに記載した収納家具。
【発明の詳細な説明】
【技術分野】
【０００１】
本願発明は、子供用（特に児童用）として家庭で使用するのに好適な収納家具に関するものである。
【背景技術】
【０００２】
小学校に就学している児童は学校で多くの物品を使用しており、これらの物品は、整理棚に収納したり机の引出しに収納したりしているが、学校で使用する物品は様々な形で大きさもまちまちであるため、出し入れが容易な状態で整理しにくい場合もある。そこで、児童がランドセルや小物を整理して収納できるようにした「ランドセルラック」と呼ばれる商品が提案されており、これに類したものが特許文献１に開示されている。
【先行技術文献】
【特許文献】
【０００３】
【特許文献１】特開２０１４−１２９８５号公報
【発明の概要】
【発明が解決しようとする課題】
【０００４】
上記のとおり、児童が学校等で使用する物品の形状や大きさは様々であり、整理して収容しにくい物品もある。その例として、ピアニカやメロディアンの商品名（登録商標）で販売されている鍵盤ハーモニカが挙げられる。
【０００５】
すなわち、この鍵盤ハーモニカは、横長の鍵盤と吹き込みホースとを備えたもので、通常はケーススに入れて保管されるが、ケースは、一般的には、左右長さが約４０ｃｍ弱〜５０ｃｍ強、幅が２０ｃｍ弱、厚さが約６ｃｍ程度の大きさであり、一般的なパソコン用キーボードを厚くしたような大きさであるため、横向きにすると棚の仕切が邪魔になって載置できず、さりとて、縦向きして棚に置くと半分程度が棚から手前にはみ出るため、邪魔になると共に体裁も悪く、また、棚の例えば外側板と背板とが繋がってコーナー部に立て掛けておくという収納方法もあるが、この場合は倒れやすくなるという問題があり、いずれにしても、整理して収納するのが厄介な物品である。
【０００６】
従って、鍵盤ハーモニカのような嵩張る物品を整理して収納できる収納家具に対する要望は高いと云えるが、特許文献１はランドセルの収納には配慮されてはいるものの、鍵盤ハーモニカのような細長くて嵩張る厚板状物品の整理収納については配慮されておらず、収納家具に関してまだ改善の余地が残っている。
【０００７】
本願発明はこのような現状を端緒として成されたものであり、嵩張る物品であっても整理して収納し得る収納家具を提供せんとするものである。
【課題を解決するための手段】
【０００８】
請求項１の発明に係る本願発明の収納家具は、
「前方及び上方に開口した収納空間を構成する背板及び棚板と、前記収納空間を左右に仕切る少なくとも１枚の固定式仕切板とを備えており、前記仕切板の後部に、物品を上から出し入れ自在な収納整理用切り欠き部が前記背板に向けて開口するように形成されている」
という基本構成において、
前記収納整理用切り欠き部は、その下端が前記棚板の上面に至るように形成されている」
という構成になっている。
【０００９】
【００１０】
【００１１】
請求項２の発明は、請求項１において、
「左右に隣り合った２枚の仕切板を備えており、前記左右の仕切板の両方に、前記収納整理用切り欠き部が、略同じ前後位置になるようにして形成されている」
という構成になっている。
請求項３の発明は、請求項１において、
「前記収納整理用切り欠き部の左右両側に前記棚板が配置されている」
という構成になっている。
請求項４の発明は、請求項１において、
「前記収納整理用切り欠き部の左右片側に前記棚板が配置されている」
という構成になっている。
請求項５の発明は、請求項１又は２において、
「前記収納整理用切り欠き部の後幅は約６０〜９０ｍｍ程度に設定されている」
という構成になっている。
【発明の効果】
【００１２】
本願発明によると、仕切板に設けた収納整理用切り欠き部に上から物品を嵌め込みできるため、従来は仕切板が邪魔になって横長姿勢で収納できなかった長い物品であっても、邪魔にならず見栄えがよい状態に整理して収納家具に収納し得る。また、物品は、収納整理用切り欠き部によって手前向き移動不能に保持されるため、物品がずり落ちるような不都合もない（嵩張る物品がずり落ちると、物品自身のダメージも大きいし、落ちた場所のダメージも大きい。）。更に、児童用収納家具に適用すると、物を片づける習慣を付けさせることができて、躾けの一助ともなりうる。
【００１３】
収納整理用切り欠き部は、仕切板の前後中途部に上向きにのみ開口した状態に形成することも可能であるが、本願発明では、仕切板の後部を背板に向けて切り欠くことによって形成しており、収納整理用切り欠き部に嵌め入れた物品は背板に寄せた状態になるため、デッドスペースを無くして収納空間を有効利用できる利点がある。
【００１４】
また、本願発明では、収納整理用切り欠き部はその下端が前記棚板の上面に至るように形成されており、物品は棚板に載った状態で収納整理用切り欠き部に収納されるため、物品を安定した状態に収納できる。また、収納整理用切り欠き部の深さが深くなるため、鍵盤ハーモニカのような幅が大きい物品であっても、仕切板の上に全く又はあまりはみ出ないように安定した状態に収納することも容易になる。
【００１５】
請求項２の構成を採用すると、例えば、１つの物品を２つの仕切板に跨がった状態で収納できる。このため、鍵盤ハーモニカやパソコン用キーボード、或いは大型絵の具ケース（パレットケース）などのように長さが長い物品であっても、手前に滑り落ちない状態に安定的に収納できる利点がある。また、２枚の仕切板の収納整理用切り欠き部の個所に別々の物品を収納することも可能であり、この面でも用途が拡大していてユーザーフレンドリーである。
【００１６】
なお、仕切板は３枚以上あってもよいのであり、その場合、収納整理用切り欠き部は全ての仕切板に形成してもよいし、一部の仕切板に形成してもよい。
【００１７】
収納整理用切り欠き部には、様々な物品を嵌め入れて収納できる。従って、収納整理用切り欠き部の前後幅は、収容が予想される物品の大きさに応じて設定したらよいが、小学校の音楽で使用されている鍵盤ハーモニカは、厚さが６ｃｍ程度のケースに入っているため、請求項５の寸法に設定すると、鍵盤ハーモニカを、その広幅面を前後方向に向けた横向きに配置できる。このため、嵩張る鍵盤ハーモニカを効率よくかつ安定した状態に収納できる利点がある。勿論、他の物品の収納にも好適である。
【００１８】
なお、収納整理用切り欠き部には、単一の物品のみでなく、複数の物品を前後に重ねて収納したり、上下に重ねて収納したり、或いは束ねて収納したりすることができる。つまり、収納整理用切り欠き部に何を嵌め入れて収納するかはユーザーが自由に選択できるのであり、このような選択の自由性も本願発明の特徴の一つである。
【図面の簡単な説明】
【００１９】
【図１】上棚と第１実施形態の収納家具との分離斜視図である。
【図２】上棚を取り付けた状態での第１実施形態の斜視図である。
【図３】第１実施形態の使用状態の一例を示す正面図である。
【図４】第１実施形態を示す図で、（Ａ）は平面図、（Ｂ）は（Ａ）のＢ−Ｂ視断面図、（Ｃ）は（Ａ）のＣ−Ｃ視断面図である。
【図５】使用例の一例を示す図である。
【図６】収納態様を変更した収納家具の斜視図である。
【図７】使用態様の例を示す平面図である。
【発明を実施するための形態】
【００２０】
(1).第１実施形態の概要
次に、本願発明を児童用収納家具に適用した実施形態を、図面に基づいて説明する。図１〜図７では主たる実施形態である第１実施形態を表示している。この点をまず説明する。以下では、方向を特定するために「間口方向」「奥行き方向」の文言を使用しているが、収納家具の開口方向と対向した状態で、間口方向は左右方向、奥行き方向は前後方向になる。念のため、図１に方向を明示している。
【００２１】
図１，２から明瞭に把握できるように、本実施形態の収納家具は、上下方向に長い左右の外側板１，２と、左右の外側板１，２の後端同士を連結する背板３と、左右外側板１，２及び背板３の下端部に連結した底板４とで外形が構成されている。従って、収納家具は前方と上方とに開口しており、平面視で左右横長の形態になっている。
【００２２】
収納家具の内部には、左右外側板１，２と平行な第１及び第２の仕切板５，６が配置されており、これら仕切板５，６は、背板４と底板４とに接合されている。従って、収納家具の内部は、左外側板１と第１仕切板５とで挟まれた第１収納エリア７と、右外側板２と第２仕切板６とで挟まれた第２収納エリア８と、第１及び第２の仕切板５，６で挟まれた第３収納エリア９とに分けられている。
【００２３】
図１，２に示す態様では、第１収納エリア７はサイド上棚板１０を有する棚部として使用し、第２収納エリア８は、上部に左右横長のハンガーポール１１が配置された衣類収納部として使用されている。第３収納エリア９は、センター上棚板１２を有する棚部として使用されている。
【００２４】
例えばサイド上棚板１０又はセンター上棚板１２には、ランドセル１３を左右横長の姿勢で載置することができる。もとより、ランドセルの収納位置はユーザーが自由に選択できるのであり、第１収納エリア７は又は第２収納エリア０の中間棚板に載置することも可能である。また、どこに置くにしても、ランドセル１３は寝かせた姿勢で置くこともができる。ランドセル１３の代わりに通学用のザックを使用している場合は、ザックは上棚板１０，１２等に載置できる。上棚板１０，１２等には、他のカバン類やバッグ類も載置できる。
【００２５】
なお、ランドセル１３は、ベルトを背板３に向けた前向き姿勢で収納することも、ベルトを手前に向けた後ろ向き姿勢で収納することも可能である。ベルトを持つのが出し入れしやすいので、後者の態様を採る子供が多いかもしれないが、見た目にはベルトを隠した前向き姿勢がすっきりしているので、片づける習慣をつけさせるという意味では、前向き姿勢が好ましいと云えるであろう。
【００２６】
収納家具には、上棚１５を載せることができる。上棚１５は、左右の側板１６と背板１7 と１枚の棚板１８とを有しており、内部は棚板１８で上下に区分されている。棚板１８のうち右寄り部位は固定仕切板１９で左右に分割されており、固定仕切板１９と右側の側板１６とで挟まれた空間のうち、棚板１６の下方の部位には引出し２０を設けている。また、左側の側板１６と固定仕切板１９との間には、可動仕切板２１が左右移動自在に装着されている。
【００２７】
なお、上棚１５の奥行き寸法は、図１では収納装置の奥行き寸法よりも少し小さく描いて、図２では収納装置の奥行き寸法と同じ寸法に描いている。図１の態様が、圧迫感がなくてよいともいえる。
【００２８】
図２に示すように、上棚１５は、その左右側板１６が左右のクランプ具２２で収納家具に固定されている。また、図示していないが、上棚１５の左右側板１６と収納家具の左右外側板１，２とは、１本ずつ又は前後複数本（２本）のダボによって位置決めされている。従って、収納家具における左右外側板１，２の上面にはダボ穴（図示せず）が空いている。
【００２９】
(2).各部の詳細
次に、詳細を説明する。左右の外側板１，２と背板３と仕切板５，６とは、同じ高さになっているが、仕切板５，６は、他の部材と異なる高さに設定することも可能である。左右の外側板１，２と背板３の上端部には、板厚よりも幅広の板材を配置することによって外向き張り出し部２３，２４を形成しており、上棚１５の側板１６は、収納家具を構成する外側板１，２の外向き張り出し部２３にクランプ具２２で固定されている。
【００３０】
仕切板５，６は固定式であり、センター上棚板１２と背板３と底板４とに固定されている。センター上棚板１２に対しては、図３に示すように、正面視Ｌ形の受け金具２５を介してビスで固定されている。背板３及び底板４に対してはダボで接合されているが、ビス止めしてもよい。また、サイド上棚板１０も、Ｌ形の受け金具２５で左外側板１，２と第１仕切板５とに固定されている。従って、受け金具２５を外すと、サイド上棚板１０を取り外しできる。
【００３１】
サイド上棚板１０とセンター上棚板１２とは、同じ高さに配置されていると共に、背板３の上端よりも低い高さに位置している。このため、両仕切板５，６はサイド上棚板１０及びセンター上棚板１２の上方に突出している。そして、両仕切板５，６の後端部は、サイド上棚板１０及びセンター上棚板１２の上に位置した部分が、ある程度の前後幅で切り欠かれている。仕切板５，６の収納整理用切り欠き部を符号２６で示している。この収納整理用切り欠き部２６は、例えば、鍵盤ハーモニカケース２７を横長姿勢にして上から嵌め入れできる前後幅になっている。なお、ケースに入れていない鍵盤ハーモニカをそのまま収納することも可能である。
【００３２】
収納整理用切り欠き部２６には、ソロバンや絵の具ケースのように、ある程度の長さがある略長方形で嵩張る厚板状物品を、単一で又は複数重ねて上から嵌め入れることができる。これら鍵盤ハーモニカケース２７等の物品は、両仕切板５，６の収納整理用切り欠き部２６のうち片方だけに嵌め入れてもよいし、２つの収納整理用切り欠き部２６に跨がって嵌め入れてもよい。
【００３３】
本実施形態では、収納整理用切り欠き部２６の前後幅は８０ｍｍ程度に設定している。このため、鍵盤ハーモニカケース２７は、横長姿勢でかつ広幅面を前後に向けた姿勢で収納できる。各収納エリア７〜９の左右横幅（間口寸法）は３００ｍｍ程度になっているので、鍵盤ハーモニカケース２７は問題なく収納できる。
【００３４】
収納整理用切り欠き部２６の深さ（換言すると、両仕切板５，６が上棚板１０，１２から突出した高さ）は、例えば１８０ｍｍ程度に設定している。このため、鍵盤ハーモニカケース２７を横長姿勢にして広幅面を前後に向けて配置すると、全体が収納整理用切り欠き部２６に納まる。このため、鍵盤ハーモニカケース２７の安定性に優れると共に、見た目にもスッキリする。
【００３５】
サイド上棚板１０における後ろの左右コーナー部は、おおよそ四角形に切り開かれて（切り欠かれて）いる。すなわち、サイド上棚板１０の後ろのコーナー部の個所には、貫通部の例として、外側板１と背板３とで外側から囲われた切り開き穴２８が形成されている。この切り開き穴２８に、例えば、リコーダー２９を差し込んで収納できる。
【００３６】
サイド上棚板１０の下方には、上から順に第１〜第３の可動棚板３０，３１，３２が高さ調節可能に配置されており、リコーダー２９は、第１可動棚板３０で支持されている。
【００３７】
これらの可動棚板３０，３１，３２は、例えば、ピン（図示せず）によって外側板１及び仕切板５に支持されている。従って、外側板１及び仕切板５には、ピン穴３３が多段に形成されている。また、可動棚板３０，３１，３２の左右端部の下面には，ピンに上から嵌まる切り欠き部が形成されている。
【００３８】
リコーダー２９は、切り開き穴２８に差し込んで収納される細長い物品の一例である。リコーダー２９の他の各種の細長い物品を切り開き穴２８に挿入して、立てた状態で整理して収納できる。例えば、バトントワリング用のバトンや、物差し、工作で使用するパイプなど、棒状や帯板状等の各種の物品を収納できる。
【００３９】
図４（Ｂ）に明示するように、第１及び第２の可動棚板３０，３１は、前後幅が第１収納エリア７の奥行き寸法の半分程度になっており、第３可動棚板３３は第１収納エリア７の奥行き寸法と同じ前後幅になっているが、可動棚板３０，３１，３２の奥行きや段数などは任意に設定できる。図４（Ａ）に明示するように、第１収納エリア７の上部においてピン穴３３を前後多列（４列）に形成することにより、奥行きが異なる可動棚板を安定して装架できるように配慮している。
【００４０】
図４（Ｃ）に示すように、第３収納エリア９のうちセンター上棚板１２の下方の空間にも、複数枚の可動棚板３４が高さ調節可能に配置されている。第３収納エリア９における可動棚板３４の配置態様は、第１収納エリア７の場合と同様に変更できる。このため、仕切板５，６にはピン穴３３が貫通している。
【００４１】
既述のとおり、第２収納エリア８には棚板は配置されておらず、上端部に左右横長のハンガーポール１１が配置されている。従って、第２仕切板６の箇所では、収納整理用切り欠き部２６を挟んだ片側のみに棚板１２が存在しており、第１仕切板５の箇所では、収納整理用切り欠き部２６を挟んだ両側に棚板１０，１２が存在している。
ハンガーポール１１は、その端面が第２仕切板６と右外側板２とに当接しており、ビス３５（図１参照）によって、第２仕切板６と右外側板２とに固定されている。ハンガーポール１１には、ハンガー３６を介して衣類３７を吊り懸けることができるが、ハンガーポール１１は第３収納エリア９の手前部に寄っているため、衣類３７は部分的に第３収納エリア９の手前にはみ出ている。
【００４２】
図６に示すように、収納家具は、第１収納エリア７をハンガーポール１１が配置された衣類収納部と成して、第３収納エリア９を棚板１０，３０〜３２が配置された棚部と成すことができる。すなわち、第１収納エリア７とサイド上棚板１０とは、棚部と第１収納エリア７とに選択して変更できる。このため、図７に示すように、２つの収納家具を背中併せに配置して、それぞれ手前側の収納エリアを衣類収納部と成すことができる。
【００４３】
右の外側板１，２と両仕切板５，６とには、ハンガーポール１１を取り付けるためのビス穴３８（図１，２参照）と、サイド上棚板１０を取り付けるためのビス穴（鬼目ナット、図示せず）と、可動棚板３０〜３２を装架するためのピン穴３３（図４参照）とが、左右対称の配置態様で形成されている。このような構造により、第１収納エリア７と第２収納エリア８との収納態様を棚部と衣類収納部とに選択して変更できる。
【００４４】
既述のとおり、サイド上棚板１０における後ろ側の左右コーナー部にはそれぞれ切り開き穴２８が形成されているため、サイド上棚板１０を第１収納エリア７に付け換えると、サイド上棚板１０に左右２つの切り開き穴２８が開口する。
【００４５】
例えば図２に示すように、外側板１，２のうち片方又は両方の外面の上部には、フック３９を吊掛けできる水平状の支持バー４０が固定されている。フック３９を利用して袋物などを吊支できる。フック３９に衣類用ハンガーを懸けることも可能である。
【００４６】
本実施形態の収納家具は、児童用の机（学習机）とセットで使用できるように配慮されている。つまり、収納家具は、図３のように手前に開口した姿勢で机４２の横に配置できるのみでなく、図５，７に示すように、机４２の右側面に向けて開口した姿勢に配置したり、机４２の左側面に向けて開口した姿勢に配置したりすることができる。
【００４７】
収納家具を机４２の右横に配置する場合は、第２収納エリア８を衣類収納部とすることにより、第２収納エリア８の全体を机４２の手前に露出させつつ、収納家具を机４２の右側面に当接させることができる。他方、収納家具を机４２の左横に配置する場合は、第１収納エリア７を衣類収納部とすることにより、図９（Ａ）に示すように、第２収納エリア８の全体を机４２の手前に露出させつつ、収納家具を机４２の右側面に当接させることができる。
【００４８】
従って、第１収納エリア７及び第２収納エリア８の間口寸法をＷ１、第３収納エリア９の間口寸法をＷ２とすると、Ｗ１とＷ２と外側板１，２及び仕切板５，６の板厚の総和は、机４２の奥行き寸法よりも大きくなっている。具体的には、収納家具の全体の左右横幅は１０００ｍｍ程度、各収納エリア７，８，９の間口寸法は既述のとおり約３００ｍｍ程度に設定されている。ランドセル１３は寸法が多少相違したものが複数種類存在するが、最も大きいものでも左右幅は２３ｃｍ程度なので、ベルトが左右に張り出していても、第３収納エリア９に余裕を持たせた状態で前向き又は後ろ向きの姿勢に収納できる。
【００４９】
机４２の高さは、例えば７６０ｍｍ程度に設定しており、収納家具におけるサイド上棚板１０とセンター上棚板１２の上面が机４２の上面と同一面になるように設定している。図示の収納家具は、全体の高さを１ｍ弱に設定している。ランドセル１３の全高は大きいものでも３３ｃｍ程度なので、上棚１５を載置しても収納機能には全く問題はない。収納家具に天板（上面板）を設ける場合は、上棚板１０，１２と天板との間隔は、例えば４０ｃｍ程度以上あれば実用的に問題はないと云える。
【００５０】
鍵盤ハーモニカケース２７の幅はランドセル１３の高さよりも遥かに小さいので、収納家具に天板（上面板）を設ける場合は、上棚板１０，１２と天板との間隔が４０ｃｍ程度以上あれば、実用的に問題はないと云える。
【００５１】
机４２は、左右横長の天板４３と左右の脚４４とを有しており、天板４３の左右個所には左右一対の平引出し４５を前後動自在に配置している。脚４４は木板製であり、左右脚４４の後部は後ろ幕板４７で連結されている。引出し４５の下方の空間には、キャスタ付きワゴンや、キャスタ無しの袖キャビネット（いずれも図示せず）を配置できる。
【００５２】
また、図３に示すように、天板４３の左右側部には、脚４４の上部が外側から重なるサイド枠板４８をビス（図示せず）で固定しており、このサイド枠板４８に脚４４を外側から重ねてビス（図示せず）で固定している。また、左右のサイド枠板４８は、その下面に重ねた補強桟板で連結されている。
【００５３】
図５や図７のように、収納家具を、机４２の側面に向けて開口した姿勢で配置する場合は、机４２の左右脚４４のうち収納家具に向いた側の脚４４を取り外して、机４２と収納家具とをＬ形の連結金具（図示ぜず）で固定している。連結金具は、収納家具のサイド上棚板１０とセンター上棚板１２との個所に配置しており、サイド上棚板１０とセンター上棚板１２と天板４３との下面に固定されており、固定した状態で、机４２の天板４３と収納家具の上棚板１０，１２とが同一面を成している。従って、天板４３と上棚板１０，１２とは同じ厚さに設定されている。
【００５４】
(3).第１実施形態のまとめ
鍵盤ハーモニカケース２７はかなりの大きさがあって嵩張るが、既述のとおり、本実施形態では、仕切板５，６に収納整理用切り欠き部２６を設けたことにより、背板３に寄せた状態でかつ広幅面を前後に向けた姿勢で上棚板１０，１２に載置できるため、邪魔にならない状態で美麗に整理して収納できる。また、鍵盤ハーモニカケース２７の手前は他の物品の収納部として使用できるため、上棚板１０，１２の上の空間を収納部としてフルに使用することができる。このため、収納スペースを有効利用できる。
【００５５】
また、鍵盤ハーモニカケース２７は容易に視認できるため、収納場所を忘れるようなことはない。このため、学校での使用日には携帯の準備を素早くかつ確実に行える。更に、子供に整理する習慣をつけさせることができるため、子供の生活態度の向上にも貢献できるといえる。本実施形態では、音楽用のリコーダー２９と鍵盤ハーモニカケース２７とが近くに収納されているため、音楽がある日の準備を迅速に行える利点があると云える。
【００５６】
本実施形態では、第３収納エリア９（或いはセンター上棚板１２）はランドセル１３の収納部に設定している。従って、ランドセル１３を取り出すと鍵盤ハーモニカケース２７の手前はオープンになって、鍵盤ハーモニカケース２７を容易に取り出すことができる。
【００５７】
なお、第１収納エリア７（サイド上棚板１０）には教科書などを収納可能であり、教科書がＡ４サイズであると、上棚板１０，１２からの仕切板５，６の上向き突出高さが１８０ｍｍ程度であると、教科書が仕切板５，６の上に少しはみ出るが、衣類収納部を構成するハンガーポール３５は仕切板５，６の上端よりも下に位置していて、ハンガーポール３５の上は障害物がない空間になっているため、鍵盤ハーモニカケース２７は、衣類収納部の側にずらして、ハンガーポール３５が固定されている仕切板５，６の上で手前に移動させることにより、教科書に干渉することなく容易に取り出すことができる。収納の場合も同様である。この点、本実施形態の利点である。
【００５８】
本実施形態のように衣類収納部を設ける場合、ハンガーポール３５に掛けた衣服３７が収納整理用切り欠き部２６よりも手前に位置するように設定しておくと、鍵盤ハーモニカケース２７を、衣服３７に触れない状態で第２収納エリア８にはみ出させることができる。このため、鍵盤ハーモニカケース２７の出し入れが一層容易になる利点がである。もっとも、衣服３７を自在に変形するので、衣類３７が背板３の近接する状態で収納されていても、特段の問題はない。
【００５９】
削除
【００６０】
以上、本願発明の実施形態を説明したが、本願発明は他にも様々に具体化できる。例えは、収納エリアの個数は３つには限らず、１つのみや２つのみ、或いは４つ以上あってもよい。本願発明の収納家具は、児童用のみでなく各種の用途に使用できる。
【００６１】
収納態様についても限定はないのであり、３つの収納エリアを有する場合、第１収納エリア７と第２収納エリア８とを衣類収納部として、第３収納エリア９を棚部としたり、逆に、第３収納エリア９を衣類収納部として、第１収納エリア７と第２収納エリア８とを棚部とすることも可能である。いずれにしても仕切板は存在するから、少なくとも１枚の仕切板に収納用切り欠き部を形成したらよい。収納形態は変更可能である必要はなく、固定的であってもよい。
【００６２】
また、上向き及び後ろ向きに開口した収納整理用切り欠き部と、上向きにのみ開口した収納整理用切り欠き部とを設けることも可能である。
【産業上の利用可能性】
【００６３】
本願発明は、実際に具体化できる。従って、産業上利用できる。
【符号の説明】
【００６４】
１，２  外側板
３  背板
５，６  仕切板
７  第１収納エリア
８  第２収納エリア
９  第３収納エリア
１０  サイド上棚板
１１  衣類用ハンガーの吊支手段の一例としてのハンガーポール
１２  センター上棚板
２６  収納整理用切り欠き部
２７  嵩張る物品の一例としての鍵盤ハーモニカケース
２９  リコーダー
【図１】
0006634220.tif 000002
【図２】
0006634220.tif 000003
【図３】
0006634220.tif 000004
【図４】
0006634220.tif 000005
【図５】
0006634220.tif 000006
【図６】
0006634220.tif 000007
【図７】
0006634220.tif 000008